(57)【特許請求の範囲】
【請求項１】
フューエルインジェクションレール或いはコモンレールの中空内部に洗浄液を浸入させ、該洗浄液によって内部表面から異物を剥離させる工程と、前記中空内部に起泡液を浸入させ、該起泡液を起泡させてその泡界面に前記剥離した異物を分散させる工程と、前記中空内部に水を導入し、該水とともに前記異物を分散させた泡を中空内部から排出させる工程とを有することを特徴とする、フューエルインジェクションレール或いはコモンレールの洗浄方法。
【請求項２】
上記異物を剥離させる洗浄液が、加温された状態で用いられることを特徴とする、請求項１に記載のフューエルインジェクションレール或いはコモンレールの洗浄方法。
【請求項３】
上記異物を分散させる起泡液が、中空内部に浸入させた後の揺動によって起泡させるものであることを特徴とする、請求項１又は２に記載のフューエルインジェクションレール或いはコモンレールの洗浄方法。
【発明の詳細な説明】
【技術分野】
【０００１】
本発明は、フューエルインジェクションレール或いはコモンレールの洗浄方法に関し、特に、洗浄が困難なフューエルインジェクションレール或いはコモンレールの内部の洗浄方法に関するものである。
【背景技術】
【０００２】
自動車等の部品として、金属パイプを使用した中空部品や、金属素材をプレス加工した半筒体同士を溶接した中空部品が多く用いられている。これらの中空部品は、加工後に、中空内部の汚れ、油、切り粉、塵埃等の異物の除去を行う必要がある。
【０００３】
中空部品のような洗浄が困難な部品の洗浄方法として、種々のものが提案されている。  例えば、特許文献１には、貫通穴を有する部品に対し、該部品を停止させ、この停止位置で部品の洗浄部位に応じて洗浄液及び加圧空気を噴出して洗浄することが記載されている。これにより異なったネジ孔の位置、大きさ、形状に対応した洗浄を行っている。
【０００４】
また、特許文献２では、洗浄槽中に不溶性粒子を含む洗浄液を投入し、槽の１部に設けた攪拌装置により液中に乱流を引き起こして洗浄している。この方法は、穴、凹凸などの複雑な形状の部品を洗浄するものである。
【０００５】
また、特許文献３には、細孔や凹凸を有する複雑な構造の部品の洗浄に際して、部品を洗浄液中に浸漬した状態で、洗浄槽内に設けたノズルから被洗浄物に向け噴流を発生させるとともに、超音波発生手段により、超音波を発振する洗浄方法が記載されている。
【０００６】
【特許文献１】特開平３−１２７６７２号公報
【特許文献２】特開平４−２１５８８０号公報
【特許文献３】特開平３−１２７６７２号公報
【発明の開示】
【発明が解決しようとする課題】
【０００７】
しかしながら、上記した洗浄方法は、いずれも部品の表面に存在する穴や凹凸を効果的に洗浄できるものではあるが、中空内部の洗浄には適しておらず、特に、中空内部において剥離された異物を効果的に排出させることができる方法ではないために、内部に異物が残留し、満足のできる洗浄が行えるものではなかった。
【０００８】
本発明は、上述した背景技術が有する実情に鑑み成されたものであって、その目的は、中空部品であるフューエルインジェクションレール或いはコモンレールの内部を効果的に洗浄できる方法を提案することにある。
【課題を解決するための手段】
【０００９】
上記した目的を達成するため、本発明に係るフューエルインジェクションレール或いはコモンレールの洗浄方法は、次の〔１〕〜〔３〕に記載の方法とした。
〔１〕フューエルインジェクションレール或いはコモンレールの中空内部に洗浄液を浸入させ、該洗浄液によって内部表面から異物を剥離させる工程と、前記中空内部に起泡液を浸入させ、該起泡液を起泡させてその泡界面に前記剥離した異物を分散させる工程と、前記中空内部に水を導入し、該水とともに前記異物を分散させた泡を中空内部から排出させる工程とを有することを特徴とする、フューエルインジェクションレール或いはコモンレールの洗浄方法。
〔２〕上記異物を剥離させる洗浄液が、加温された状態で用いられることを特徴とする、上記〔１〕に記載のフューエルインジェクションレール或いはコモンレールの洗浄方法。
〔３〕上記異物を分散させる起泡液が、中空内部に浸入させた後の揺動によって起泡させるものであることを特徴とする、上記〔１〕又は〔２〕に記載のフューエルインジェクションレール或いはコモンレールの洗浄方法。
【発明の効果】
【００１０】
上記した本発明に係るフューエルインジェクションレール或いはコモンレールの洗浄方法によれば、洗浄液によって剥離した異物を起泡液の泡界面に分散させ、該異物を分散させた泡を中空内部から排出させるものであるため、部品内部の突起や淀みに影響させず、剥離した異物を泡とともに効果的に中空内部から排出させることができ、清浄度の高いフューエルインジェクションレール或いはコモンレールの洗浄が可能となる。
【００１２】
ここで、上記異物を剥離させる洗浄液が、加温された状態で用いられる場合には、該洗浄液の表面張力を下げることができ、より浸透力が高くなるために洗浄効果を向上させることができる。
【００１３】
また、上記異物を分散させる起泡液が、中空内部に浸入させた後の中空部品の揺動によって起泡させるものである場合には、その起泡の発生過程において異物を泡界面に効果的に取り込むことができ、より良好に剥離した異物を泡界面に分散させた状態で中空内部から排出させることができる。
【発明を実施するための最良の形態】
【００１５】
以下、上記した本発明に係るフューエルインジェクションレール或いはコモンレール（以下、「中空部品」と言う場合もある。）の洗浄方法の実施の形態を、詳細に説明する。
本発明に係る中空部品の洗浄方法は、中空内部に洗浄液を浸入させ、該洗浄液によって内部表面から異物を剥離させる工程と、前記中空内部に起泡液を浸入させ、該起泡液を起泡させてその泡界面に前記剥離した異物を分散させる工程と、前記中空内部に水を導入し、該水とともに前記異物を分散させた泡を中空内部から排出させる工程とを有するものである。
【００１６】
上記本発明の洗浄方法の対象は、自動車のフューエルインジェクションレール、コモンレールである。これは、これらの中空部品は、内部に突起等があり、特に異物を排出しにくい構造のものであるとともに、使用の際の動作異常等を防ぐために一定の清浄度が要求される部品であるために、特に本発明に係る洗浄方法の対象となる。
【００１７】
また、上記本発明において使用する異物を剥離させる洗浄液としては、中空部品に使用される燃料の表面張力と同等、若しくはそれより低い表面張力の洗浄液であることが好ましい。具体的には、中空部品に使用される燃料がガソリンである場合には、ガソリンの表面張力は１９ｍＮ／ｍ程度であるため、この場合に使用する洗浄液は、表面張力１９ｍＮ／ｍ以下の洗浄液であることが好ましい。同様に、中空部品に使用される燃料が軽油である場合には、軽油の表面張力は２３〜２５ｍＮ／ｍであるため、この場合に使用する洗浄液は、表面張力２５ｍＮ／ｍ以下の洗浄液であることが好ましい。これは、表面張力の低い洗浄液を用いた場合には、部材表面と異物との接着界面への浸透力が高く、異物を効果的に剥離することができ、また、このような異物の剥離効果が高い洗浄液を用いて中空内部を洗浄しておけば、該中空部品内部を流れる燃料の異物剥離効果よりも高いために、実車にて該中空部品を使用の際に異物が剥離することがなく、燃料噴射装置の動作異常等を有効に防ぐことができるために好ましい。このような、本発明において洗浄液として好適に用いることができる表面張力の低い洗浄液としては、臭素系溶剤（ｎ−プロピルブロマイド）、炭化水素系溶剤（パラフィン、ナフテン）、フッ素系溶剤（ＨＦＣ、ＨＦＥ、ＨＣＦＣ）等を挙げることができる。
【００１８】
本発明においては、先ず、上記したような表面張力が低い洗浄液が入れられた容器に洗浄する中空部品を浸漬すること等により、該中空部品の内部に洗浄液を浸入させ、該洗浄液によって内部表面から異物を剥離させる。中空部品の洗浄液への浸漬時間や洗浄液の温度は、洗浄する中空部品の種類、また付着している異物の種類等により適宜に調整すればよいが、洗浄する中空部品がフューエルインジェクションレールである場合には、通常、浸漬時間は３０秒〜６００秒程度、洗浄液の温度は１０〜９０℃程度である。なお、洗浄液の温度は、洗浄効果を向上させるためには使用可能温度範囲内ではできるだけ高温の方が望ましく、一般的には、６０℃程度に洗浄液を加温して用いることが望ましく、上記した洗浄液の具体的な表面張力の数値は、この加温時において満たされていればよい。また、必要に応じて、この洗浄液による異物の剥離工程において、中空部品に振動を与える等の洗浄効果を向上させる手段を併用してもよい。
【００１９】
続いて、中空部品を洗浄液の容器から取り出し、今度は中空部品の内部に起泡液を浸入させ、該起泡液の泡界面に上記工程において剥離した異物を分散させる。この異物を分散させる起泡液は、中空内部に浸入させた後の中空部品の揺動によって起泡させるものであることが、その起泡の発生過程において異物を泡界面に効果的に取り込むことができ、より良好に剥離した異物を泡界面に分散させた状態とすることができるために好ましい。この際に用いる起泡液としては、例えば、界面活性剤の０．１〜２％濃度程度の水溶液、あるいは分散液が好適に用いられる。この場合の界面活性剤の種類には特に限定はないが、高級アルコールにエチレンオキサイドを付加し、これを硫酸化した高級アルコール系のものが、起泡性や安全性の観点において好ましいものとして例示される。また、起泡のために中空部材に加える揺動（振動）は、加速度２〜６Ｇ程度が適当である。
【００２０】
続いて、異物を分散させた泡を中空内部から排出させる。この泡の排出工程にあたっては、水を中空内部に導入し、水とともに泡を押し出す方法を採用することが、効果的に異物を分散させた泡を中空内部から排出させることができるために好ましく、また、泡の排出とともにすすぎ工程をも行うことができ、洗浄作業工程を単純なものとすることができるために好ましいことから、本発明においては、この方法を採用する。この場合の水の圧力は、水道の水圧程度あればよく、例えば２〜６ｋｇｆ／ｃｍ2程度の圧力で連続的或いは間欠的に導入すればよく、必要に応じて中空部材の揺動を併用することとしてもよい。
【００２１】
上記剥離した異物を泡界面に分散させる工程、及び異物を分散させた泡を中空内部から排出させる工程は、必要に応じて２〜３回繰り返して行う。而して、高圧の水の噴射力により、異物を分散させた泡は、部品内部の突起や淀みに影響させず、簡易且つ短時間で中空内部から排出され、効率的に中空内部が洗浄される。
次に、本発明に係る中空部品の洗浄方法の実施例を記載するが、本発明は、何ら下記の実施例によって限定されるものではない。
【実施例】
【００２２】
図１に概念的に示した中空部材であるフューエルインジェクションレールＡの洗浄を行った。
【００２３】
洗浄液Ｂとして６０℃に加熱したｎ−プロピルブロマイド（表面張力１９ｍＮ／ｍ）を使用し、起泡液Ｃとして高級アルコール系の界面活性剤の０．１５％程度の水溶液を用いた。
【００２４】
先ず、上記洗浄液Ｂを入れた容器１に、図２に示したようにフューエルインジェクションレールＡを３００秒間浸漬し、表面から異物を剥離させた。
その後、フューエルインジェクションレールＡを容器１から取り出し、該フューエルインジェクションレールＡに、フィード部２から上記起泡液Ｃを内部容積の１／３程度まで注入し、図３に示したように加速度４ＧでフューエルインジェクションレールＡを揺動させ、起泡液Ｃを泡立てて剥離した異物を泡界面に分散させた。
続いて、フューエルインジェクションレールＡのフィード部２から、水Ｗを水道の水圧のままで導入し、図４に示したように水とともに泡をインジェクタカップ３の穴から押し流した。
上記剥離した異物を泡界面に分散させる工程及び異物を分散させた泡を排出させる工程を、２度繰り返した。
【００２５】
上記洗浄作業により、フューエルインジェクションレールＡ内に、１００μｍ以上の異物がゼロの洗浄が実現できた。
【図面の簡単な説明】
【００２６】
【図１】本発明に係る中空部品の洗浄方法を実施したフューエルインジェクションレールの概念的な断面図である。
【図２】本発明に係る中空部品の洗浄方法において、中空部品の内部に洗浄液を浸入させ、該洗浄液によって内部表面から異物を剥離させる工程を概念的に示した側面図である。
【図３】本発明に係る中空部品の洗浄方法において、中空部品の内部に起泡液を浸入させ、該起泡液の泡界面に剥離した異物を分散させる工程を概念的に示した側面図である。
【図４】本発明に係る中空部品の洗浄方法において、異物を分散させた泡を中空内部から排出させる工程を概念的に示した断面図である。
【符号の説明】
【００２７】
１      容器
２      フィード部
３      インジェクタカップ
Ａ      フューエルインジェクションレール
Ｂ      洗浄液
Ｃ      起泡液
Ｗ      水
【図１】
0005295649.tif 000002
【図２】
0005295649.tif 000003
【図３】
0005295649.tif 000004
【図４】
0005295649.tif 000005